【事件の表示】
　特願２００９−　　３７２１「カラーフィルタ、および、表示装置」拒絶査定不服審判事件〔平成２２年　７月２２日出願公開、特開２０１０−１６０７４５〕について、次のとおり審決する。
【結　論】
　本件審判の請求は、成り立たない。
【理　由】
第１．手続の経緯
　本願は、平成２１年１月９日の出願であって、平成２４年６月１３日付けで拒絶理由通知がなされ、同年８月８日付けで手続補正がなされたが、平成２５年３月１日付けで拒絶査定がなされ、これに対し、同年６月５日付けで拒絶査定不服審判の請求がされるとともに、同時に手続補正がなされたものである。
　
第２．平成２５年６月５日付の手続補正についての補正却下の決定
　
［補正却下の決定の結論］
　　平成２５年６月５日付の手続補正（以下、「本件補正」という。）を却下する。
　
［理由］
１．補正後の本願発明
　本件補正により、特許請求の範囲の請求項１は、
　「【請求項１】
　静電容量結合方式のタッチパネル機能を有し表示面への接触を検出可能な表示装置に用いられるカラーフィルタであって、
　基材と、
　開口部を画定する所定のパターンで形成された遮光部と、前記開口部内に形成された着色部と、を有するカラーフィルタ層と、
　前記カラーフィルタ層と前記基材との間に設けられ、または、前記基材の前記カラーフィルタ層とは反対の側に設けられ、前記表示装置に組み込まれた際に前記接触を検出するための回路に電気的に接続されるように構成された電極部と、を備え、
　前記カラーフィルタ層の前記遮光部は、導電性を有するとともに前記電極部から絶縁されるようにして設けられ、前記表示装置に組み込まれた際に接地されるように構成されており、
　前記カラーフィルタ層の前記基材に対面する側とは反対の側に配置された透明電極層を、さらに備え、
　前記透明電極層は、前記表示装置に組み込まれた際に各画素の表示を制御するための電極として機能するように構成され、
　前記カラーフィルタ層の前記遮光部は、前記透明電極層から絶縁されるようにして前記透明電極層と前記電極部との間に配置されており、
　前記電極部は、前記カラーフィルタ層と前記基材との間に配置された第１電極部と、前記第１電極部と前記カラーフィルタ層との間に配置された第２電極部と、を有し、
　前記第１電極部と前記第２電極部との間に、前記第１電極部と前記第２電極部とを絶縁する絶縁層が形成され、
　前記第１電極部は、一方向に並べて配置された複数の導電体であって、各々が前記一方向と交差する方向に延びている、複数の導電体を含み、
　前記第２電極部は、前記一方向とは異なる他方向に並べて配置された複数の導電体であって、各々が前記他方向と交差する方向に延びている、複数の導電体を含み、
　前記第１電極部及び前記第２電極部は、各々平面視略円形状である膨出部を有しており、
　前記第１電極部の膨出部と前記第２電極部の膨出部とは、前記基材側から観察した場合に重ならないように配置されている
ことを特徴とするカラーフィルタ。」
と補正された。
　
　上記補正は、請求項１に記載した発明を特定するために必要な事項である「第１電極部及び第２電極部」の「膨出部」の構成を、「平面視略円形状である膨出部」と、より下位の構成に限定したものであって、特許法第１７条の２第５項第２号の特許請求の範囲の減縮を目的とするものに該当する。
　そこで、本件補正後の前記請求項１に記載された発明（以下、「本願補正発明」という。）が特許出願の際独立して特許を受けることができるものであるか（特許法第１７条の２第６項において準用する同法第１２６条第７項の規定に適合するか）について以下に検討する。
  
２．引用例等
　原査定の拒絶の理由に引用された、本願の出願日前に頒布された刊行物である、国際公開第２００７／１０２２３８号（以下、「引用例１」という。）には、図面と共に以下の記載がある。
　
ａ）「［０００１］　本発明は、表示装置に関し、特に、
静電結合方式のタッチパネルを備えた表示装置に関する
　
ｂ）「［００２１］　そのため、タッチパネルを備えた液晶表示装置では、ディスプレイ画面側となる対向基板に、上記位置を検出するためのタッチパネル用電極、及び液晶層に電圧を印加するための表示用の共通電極をそれぞれ独立して形成することが多くなっている。
［００２２］　しかしながら、上記のように、タッチパネル用電極及び共通電極をそれぞれ独立して形成させた液晶表示装置でも、共通電極に入力される表示用信号によって、タッチパネル用電極における位置検出用信号が変動することにより、タッチパネルの位置検出精度が低下して、安定したタッチパネル動作が困難になるおそれがある。
［００２３］　本発明は、かかる点に鑑みてなされたものであり、その目的とするところは、安定したタッチパネル動作が可能な表示装置を実現することにある。
課題を解決するための手段
［００２４］　上記目的を達成するために、本発明は、タッチされた位置を検出するための第１透明電極と、表示用の信号が入力される第２透明電極との間に、容量結合を抑制するためのシールド電極を設けるようにしたものである。
［００２５］　具体的に本発明に係る表示装置は、互いに対向して配置された第１基板及び第２基板と、上記第１基板及び第２基板の間に設けられた表示媒体層と、上記第１基板及び表示媒体層の間にマトリクス状に配置された複数の画素電極と、上記第２基板及び表示媒体層の間に配置されタッチされた位置を検出するための第１透明電極と、上記第１透明電極及び表示媒体層の間に配置され表示用の信号が入力される第２透明電極とを備え、静電容量結合方式によりタッチされた位置を検出すると共に画像を表示する表示装置であって、上記第１透明電極及び第２透明電極の間には、該第１透明電極及び第２透明電極の間の容量結合を抑制するためのシールド電極が設けられていることを特徴とする。
［００２６］　上記構成によれば、第１基板に設けられた複数の画素電極と、第２基板に設けられた第２透明電極とにそれぞれ所定の表示用の信号を入力して、表示媒体層に所定の電圧を印加することにより、画像が表示されて、表示装置が構成されることになる。
［００２７］　また、第２基板の表示媒体層と反対側の表面をタッチすることにより、第１透明電極がタッチされた位置で第２基板及びタッチした人体の静電容量を介して接地され、例えば、第１透明電極の周囲に設けられた各位置検出用電極と接地点との間の抵抗値が変化することになる。そして、この抵抗値の変化に基づいてタッチされた位置が検出され、静電容量結合方式のタッチパネルが構成されることになる。
［００２８］　さらに、タッチ位置を検出する第１透明電極と表示用の信号が入力される第２透明電極との間に、それらの間の容量結合を抑制するためのシールド電極が設けられているので、第２透明電極に入力される表示用の信号に起因する第１透明電極での位置検出用信号の変動が抑制される。そのため、タッチパネルの位置検出精度の低下が抑制され、安定したタッチパネル動作が可能になる。
［００２９］　したがって、安定したタッチパネル動作が可能な表示装置を実現することが可能になる。
［００３０］　上記シールド電極は、接地されるように構成されていてもよい。
［００３１］　上記構成によれば、
シールド電極がグランドに接続される
　
ｃ）「［００７０］　《発明の実施形態１》
　図１〜図６は、本発明に係る液晶表示装置の実施形態１を示している。具体的に、図１は、本実施形態に係る液晶表示装置５０の断面模式図である。また、図２は、液晶表示装置５０を構成するタッチパネル２０ａの部分的に示した平面模式図であり、図３は、図２中のIII−III線に沿った断面模式図である。
［００７１］　液晶表示装置５０は、図１に示すように、アクティブマトリクス基板１０と、そのアクティブマトリクス基板１０に対向して配置されたタッチパネル基板２０ａと、それらアクティブマトリクス基板１０及びタッチパネル基板２０ａの間に表示媒体層として設けられた液晶層３０と、アクティブマトリクス基板１０の下側に偏光板１及び拡散シート３を介して設けられたバックライト５と、タッチパネル基板２０ａの上側に設けられた偏光板２とを備えている。」（［００７０］〜［００７１］の記載。）
　
ｄ）「［００７５］　
タッチパネル基板
第２基板２１上に、第１透明電極２２、第１絶縁層Ｉａ、シールド電極２５、第２絶縁層Ｉｂ及び第２透明電極２７が順に積層された多層積層構造となっている
［００７６］　
第１透明電極２２は、タッチされた位置を検出するための電極であり、
その位置検出用の信号を
位置検出用回路に伝えることができ
［００７７］　
第１絶縁層Ｉａは、第１透明電極２２側に設けられた無機絶縁層２３と、シールド電極２５側に設けられたカラーフィルター層２４とを備え
［００７８］　
カラーフィルター層２４は、アクティブマトリクス基板１０上の画素電極１３に対応して、赤、緑及び青のうちの１色が配設された着色層２４ａと、各着色層２４ａの間に設けられたブラックマトリクス２４ｂとを備え
［００７９］　
第２絶縁層Ｉｂは、有機絶縁層２６により構成されて
［００８０］　
第２透明電極２７は、表示用の信号が供給される共通電極であり、
　
ｅ）「［０１８０］　《発明の実施形態６》
　図１１は、本実施形態に係る液晶表示装置を構成するタッチパネル基板２０ｅの断面模式図である。
［０１８１］　
上記各実施形態では、シールド電極２５
を透明導電膜により形成
本実施形態では、シールド電極２４ｃを遮光性を有する金属膜により形成すると共に、そのシールド電極２４ｃによってカラーフィルター層２４のブラックマトリクスが構成され
［０１８２］　また、シールド電極２４ｃは、上記実施形態１のタッチパネル基板作製工程におけるカラーフィルター層２４のブラックマトリクス２４ｂを形成する際に、黒色顔料を含んだ感光性レジスト材料を塗布する代わりに、クロム又はカーボン系材料を成膜してＰＥＰ技術によりパターニングすれば形成されるので、タッチパネル基板２０ｅの作製方法については、説明を省略する。なお、シールド電極２４ｃは、クロム、カーボン系材料などの単層構造の他に、クロム化合物とクロムとが積層された２層構造、そのクロム化合物とクロムとの間に他のクロム化合物が積層された３層構造により構成されていてもよい。
［０１８３］　本実施形態のタッチパネル基板２０ｅを備えた液晶表示装置によれば、上記実施形態１の液晶表示装置５０と同様に、
第１透明電極２２と第２透明電極２７との間に、シールド電極２４ｃが設けられているので、タッチパネルの位置検出精度の低下が抑制され、安定したタッチパネル動作が可能にな
［０１８４］　また、
シールド電極２４ｃをカラーフィルター層２４のブラックマトリクスによって形成させているので、タッチパネル基板作製工程を簡略化することができ
　
　してみると、引用例１には次の発明（以下、「引用例１記載の発明」という。）が記載されている。
　「静電結合方式のタッチパネルを備えた表示装置に関する、
　第２基板２１上に、第１透明電極２２、第１絶縁層Ｉａ、シールド電極２５、第２絶縁層Ｉｂ及び第２透明電極２７が順に積層された多層積層構造となっているタッチパネル基板であって、
　第１透明電極２２は、タッチされた位置を検出するための電極であり、その位置検出用の信号を位置検出用回路に伝えることができ、
　第１絶縁層Ｉａは、第１透明電極２２側に設けられた無機絶縁層２３と、シールド電極２５側に設けられたカラーフィルター層２４とを備え、
　カラーフィルター層２４は、アクティブマトリクス基板１０上の画素電極１３に対応して、赤、緑及び青のうちの１色が配設された着色層２４ａと、各着色層２４ａの間に設けられたブラックマトリクス２４ｂとを備え、
　第２絶縁層Ｉｂは、有機絶縁層２６により構成され、
　第２透明電極２７は、表示用の信号が供給される共通電極であり、
　シールド電極２５を透明導電膜により形成させることに代え、
　シールド電極２４ｃを遮光性を有する金属膜により形成すると共に、そのシールド電極２４ｃによってカラーフィルター層２４のブラックマトリクスが構成され、
　第１透明電極２２と第２透明電極２７との間に、シールド電極２４ｃが設けられているので、タッチパネルの位置検出精度の低下が抑制され、安定したタッチパネル動作が可能になり、
　シールド電極２４ｃをカラーフィルター層２４のブラックマトリクスによって形成させているので、タッチパネル基板作製工程を簡略化することができ、
　シールド電極がグランドに接続される
タッチパネル基板。」
　
　原査定で提示された、本願の出願日前に頒布された刊行物である、特開２００８−２４３６２２号公報（以下、「周知例１」という。）には、図面と共に以下の記載がある。
　
ｆ）「【００１１】
  図１は、本発明の一実施形態に係る透明タッチスイッチの概略構成断面図である。この透明タッチスイッチ１０１は、静電容量式のタッチスイッチであり、透明基板１１の一方面にパターニングされた透明導電膜１２が形成された第１の透明面状体１と、透明基板２１の一方面にパターニングされた透明導電膜２２が形成された第２の透明面状体２とを備えている。第１の透明面状体１と第２の透明面状体２とは、それぞれの透明導電膜１２，２２を全体的に被覆する接着性材料からなる被覆層１４，２４を貼着することにより一体化されている。」（【００１１】の記載。）
　
ｇ）「【００２１】
  透明導電膜１２，２２は、図２及び図３に示すように、平行に延びる複数の帯状導電部１２ａ，２２ａの集合体としてそれぞれ形成されており、各透明導電膜１２，２２の帯状導電部１２ａ，２２ａは、互いに直交するように配置されている。透明導電膜１２，２２は、導電性インクなどからなる引き廻し回路（図示せず）を介して外部の駆動回路（図示せず）に接続される。透明導電膜１２，２２のパターン形状は、本実施形態のものに限定されず、指などの接触ポイントを検出可能である限り、任意の形状とすることが可能である。例えば、図４及び図５に示すように、透明導電膜１２，２２を、複数の菱形状導電部１２ｂ，２２ｂが直線状に連結された構成とし、各透明導電膜１２，２２における菱形状導電部１２ｂ，２２ｂの連結方向が互いに直交し、且つ、平面視において上下の菱形状導電部１２ｂ，２２ｂが重なり合わないように配置してもよい。」（【００２１】の記載。）
　
ｈ）「【００２９】
  以上の構成を備える透明タッチスイッチ１０１において、タッチ位置の検出方法は、従来の静電容量式のタッチスイッチと同様であり、第１の透明面状体１の表面側における任意の位置を指などで触れると、透明導電膜１２，２２は接触位置において人体の静電容量を介して接地され、このときに透明導電膜１２，２２を流れる電流値を検出することにより、接触位置の座標が演算される。」（【００２９】の記載。）
　
　原査定で提示された、本願の出願日前に頒布された刊行物である、特開２００８−２１６５４３号公報（以下、「周知例２」という。）には、図面と共に以下の記載がある。
　
ｉ）「【０００２】
  近年、パーソナルデジタルアシスタント（ＰＤＡ）、パーソナルコンピュータなどの小型情報電子機器の普及に伴い、表示画面上に指やペンなどの物体を接触させることにより入力操作を行う、いわゆるタッチパネル機能が付加された表示装置が広く利用されている。このようなタッチパネルにおいて、指などの接触位置を検出する方法として静電容量方式がある（例えば、特許文献１、２参照）。
  静電容量方式は、人間が指で表示面に触れることで形成された静電容量を介して微弱な電流を流し、この電流量から接触位置の検出を行う方式である。ここで、静電容量方式では、平面状に形成された検出電極と検出電極上に積層された誘電体膜とを用いており、誘電体膜を指などで触れることで静電容量を形成している。」（【０００２】の記載。）
　
ｊ）「【００１７】
  さらに、入力機能付有機ＥＬ装置１は、封止基板１２の内面側（前記素子基板１１の対向面側）に設けられた第一検出電極１４と、前記封止基板１２の外面側（前記素子基板１１の対向面と反対側）に設けられ、前記第一検出電極１４とは異なる検出軸を有する第二検出電極１８と、この第二検出電極１８上に積層される誘電体膜１５と、誘電体膜１５を介して前記第一及び第二検出電極１４，１８間に形成される静電容量の形成位置を検出する検出手段１６とを備えている。前記検出電極１４、誘電体膜１５、及び検出手段１６は、所謂、静電容量方式のタッチパネル部を構成している。」（【００１７】の記載。）
　
ｋ）「【００３４】
  図４（ａ）は基板本体１２Ａの内面側から視た前記第一検出電極１４の平面図であり、図４（ｂ）は基板本体１２Ａの外面側から視た前記第二検出電極１８の平面図であり、図４（ｃ）は前記第一検出電極１４と前記第二検出電極１８との配置関係を示す図である。
【００３５】
  第一検出電極１４は、図４（ａ）に示すように菱（ダイヤモンド）状のパッド部が同図中Ｙ軸方向に沿って均等な間隔で配置されるとともに、各パッド部１４ａが配線部１４ｂにより接続されたストライプ状に形成され、その一端側が図示されない検出手段１６に接続されたものとなっている。すなわち、第一検出電極１４は、Ｙ軸方向にその検出軸を有している。
【００３６】
  一方、第二検出電極１８は、図４（ｂ）に示すように菱（ダイヤモンド）状のパッド部１８ａが同図中Ｙ軸方向に沿って均等な間隔で配置されるとともに、各パッド部１８ａが配線部１８ｂにより接続されたストライプ状に形成され、その一端側が図示されない検出手段１６に接続されたものとなっている。すなわち、第二検出電極１８は、Ｘ軸方向にその検出軸を有している。
【００３７】
  本実施形態に係る入力機能付有機ＥＬ装置１では、上記第一検出電極１４及び第二検出電極１８は、その検出軸が互いに直交したものとなっている。具体的には、図４（ｃ）に示すように、第一検出電極１４及び第二検出電極１８は、封止基板１２の基板本体１２Ａを介して、互いの配線部１４ｂ、１８ｂを交差させるように配置され、それぞれのパッド部１４ａ，１８ａが千鳥状に配置されたものとなっている。これにより基板本体１２Ａの表面に形成されるパッド部１４ａ，１８ａの面積をできるだけ大きく設定することができ、その結果、タッチパネル部としての有効位置検出範囲を広範囲に設定できる。また、第一検出電極１４及び第二検出電極１８は、パッド部１４ａ，１８ａに比べて表面積の小さい配線部１４ｂ，１８ｂにて互いが交差する構造となっているので、第一及び第二検出電極１４，１８間に形成される容量を小さくすることができる。
  また、前記第一、第二検出電極１４、１８の端部には、検出手段１６からの検出信号が供給される端子部（図示略）がそれぞれ設けられている。
【００３８】
  検出手段１６は、第一、第二検出電極１４，１８に設けられた上記端子部にそれぞれ同相同電位の交流電圧を印加して第一、第二検出電極１４，１８の面内に均一な電界を発生させる構成となっている。また、検出手段１６は、誘電体膜１５を介して第一、第二検出電極１４，１８との間に形成された静電容量を介して流れる電流量の測定値から指などの
接触位置を検出する構成となっている。なお、前記誘電体膜１５に代えて、反射防止膜として機能する、例えばポリビニルアルコール（ＰＶＡ）等の誘電体材料からなる円偏光板を用いてもよい。」（【００３４】〜【００３８】の記載。）
　
３．対比
　そこで、本願補正発明と引用例１記載の発明とを対比する。
　
あ）引用例１記載の発明の「タッチパネル基板」は、「静電容量方式のタッチパネルを備えた表示装置」に関するものであり、「カラーフィルター層２４」を備えたものであるから、引用例１記載の発明の「タッチパネル基板」が本願補正発明の「静電容量結合方式のタッチパネル機能を有し表示面への接触を検出可能な表示装置に用いられるカラーフィルタ」に相当する構成を有することは明らかである。
　
い）引用例１記載の発明の「第２基板２１」は本願補正発明の「基材」に相当する。
　
う）引用例１記載の発明の「カラーフィルター層２４」は「アクティブマトリクス基板１０上の画素電極１３に対応して、赤、緑及び青のうちの１色が配設された着色層２４ａと、各着色層２４ａの間に設けられたブラックマトリクス２４ｂ」とを備えたものであり、引用例１記載の発明の「ブラックマトリクス２４ｂ」は本願補正発明の「開口部を画定する所定のパターンで形成された遮光部」に、引用例１記載の発明の「着色層２４ａ」は本願補正発明の「開口部内に形成された着色部」にそれぞれ相当し、引用例１記載の発明の「カラーフィルター層２４」は本願補正発明の「開口部を画定する所定のパターンで形成された遮光部と、前記開口部内に形成された着色部と、を有するカラーフィルタ層」に相当する。
　
え）引用例１記載の発明の「第１透明電極２２は、タッチされた位置を検出するための電極であり、その位置検出用の信号を位置検出用回路に伝える」ものであり、「第２基板２１上に、第１透明電極２２、第１絶縁層Ｉａ」が順に積層され、また、「第１絶縁層Ｉａは、第１透明電極２２側に設けられた無機絶縁層２３と、シールド電極２５側に設けられたカラーフィルター層２４」とを備えているから、引用例１記載の発明の「第１透明電極２２」は、「カラーフィルター層２４」と「第２基板２１」との間に位置しており、本願補正発明の「前記カラーフィルタ層と前記基材との間に設けられ、または、前記基材の前記カラーフィルタ層とは反対の側に設けられ、前記表示装置に組み込まれた際に前記接触を検出するための回路に電気的に接続されるように構成された電極部」に相当する。
　
お）引用例１記載の発明は「第１透明電極２２、第１絶縁層Ｉａ」が順に積層され、また、「第１絶縁層Ｉａは、第１透明電極２２側に設けられた無機絶縁層２３と、シールド電極２５側に設けられたカラーフィルター層２４」とを備えているから、引用例１記載の発明の「カラーフィルター層２４」と「第１透明電極２２」との間には「無機絶縁層２３」が配置されており、「カラーフィルター層２４」は「第１透明電極２２」から絶縁されるようにして設けられているといえる。
　したがって、引用例１記載の発明の「シールド電極２５を透明導電膜により形成させることに代え、
　シールド電極２４ｃを遮光性を有する金属膜により形成すると共に、そのシールド電極２４ｃによってカラーフィルター層２４のブラックマトリクスが構成」されたもので「シールド電極がグランドに接続される」ことは、本願補正発明の「前記カラーフィルタ層の前記遮光部は、導電性を有するとともに前記電極部から絶縁されるようにして設けられ、前記表示装置に組み込まれた際に接地されるように構成」されることに相当する。
　
か）引用例１記載の発明は「第２基板２１上に、第１透明電極２２、第１絶縁層Ｉａ、シールド電極２５、第２絶縁層Ｉｂ及び第２透明電極２７」が順に積層され、また、「第１絶縁層Ｉａは、第１透明電極２２側に設けられた無機絶縁層２３と、シールド電極２５側に設けられたカラーフィルター層２４」とを備えているから、引用例１記載の発明の「カラーフィルター層２４」は、「第２基板２１」と「第２透明電極２７」との間に位置しており、引用例１記載の発明の「第２透明電極２７」は、本願補正発明の「前記カラーフィルタ層の前記基材に対面する側とは反対の側に配置された透明電極層」に相当する。
　
き）引用例１記載の発明の「第２透明電極２７は、表示用の信号が供給される共通電極」であることは、本願補正発明の「前記透明電極層は、前記表示装置に組み込まれた際に各画素の表示を制御するための電極として機能するように構成」されることに相当する。
　
く）引用例１記載の発明は「第２基板２１上に、第１透明電極２２、第１絶縁層Ｉａ、シールド電極２５、第２絶縁層Ｉｂ及び第２透明電極２７」が順に積層され、また、「第１絶縁層Ｉａは、第１透明電極２２側に設けられた無機絶縁層２３と、シールド電極２５側に設けられたカラーフィルター層２４」とを備えているから、引用例１記載の発明の「第２絶縁層Ｉｂ」は、「カラーフィルター層２４」と「第２透明電極２７」との間に位置しており、「カラーフィルター層２４」は「第２透明電極２７」から絶縁されるようにして設けられているといえる。
　したがって、上記お）の構成を合わせて考慮すると、引用例１記載の発明の「カラーフィルター層２４」の「ブラックマトリクス」の配置は、本願補正発明の「前記カラーフィルタ層の前記遮光部は、前記透明電極層から絶縁されるようにして前記透明電極層と前記電極部との間に配置」に相当する。
　
　したがって両者は、
「静電容量結合方式のタッチパネル機能を有し表示面への接触を検出可能な表示装置に用いられるカラーフィルタであって、
　基材と、
　開口部を画定する所定のパターンで形成された遮光部と、前記開口部内に形成された着色部と、を有するカラーフィルタ層と、
　前記カラーフィルタ層と前記基材との間に設けられ、または、前記基材の前記カラーフィルタ層とは反対の側に設けられ、前記表示装置に組み込まれた際に前記接触を検出するための回路に電気的に接続されるように構成された電極部と、を備え、
　前記カラーフィルタ層の前記遮光部は、導電性を有するとともに前記電極部から絶縁されるようにして設けられ、前記表示装置に組み込まれた際に接地されるように構成されており、
　前記カラーフィルタ層の前記基材に対面する側とは反対の側に配置された透明電極層を、さらに備え、
　前記透明電極層は、前記表示装置に組み込まれた際に各画素の表示を制御するための電極として機能するように構成され、
　前記カラーフィルタ層の前記遮光部は、前記透明電極層から絶縁されるようにして前記透明電極層と前記電極部との間に配置されている
ことを特徴とするカラーフィルタ。」
　の点で一致し、次の点で相違する。
　
［相違点］
　本願補正発明の「接触を検出するための回路に電気的に接続されるように構成された電極部」は、「前記カラーフィルタ層と前記基材との間に配置された第１電極部と、前記第１電極部と前記カラーフィルタ層との間に配置された第２電極部と、を有し、
　前記第１電極部と前記第２電極部との間に、前記第１電極部と前記第２電極部とを絶縁する絶縁層が形成され、
　前記第１電極部は、一方向に並べて配置された複数の導電体であって、各々が前記一方向と交差する方向に延びている、複数の導電体を含み、
　前記第２電極部は、前記一方向とは異なる他方向に並べて配置された複数の導電体であって、各々が前記他方向と交差する方向に延びている、複数の導電体を含み、
　前記第１電極部及び前記第２電極部は、各々平面視略円形状である膨出部を有しており、
　前記第１電極部の膨出部と前記第２電極部の膨出部とは、前記基材側から観察した場合に重ならないように配置されている」のに対し、引用例１記載の発明の「タッチされた位置を検出するための電極」である「第１透明電極２２」は、「カラーフィルター層２４」と「第２基板２１」との間に配置されているものの、単一の電極層により構成されている点。
　
４．判断
［相違点］について
　周知例１、周知例２に記載されるように、絶縁層を介して２つの電極層を形成し、該２つの電極層はそれぞれ、平行に延びる複数の帯状電極により形成し、各帯状電極はそれぞれ、複数の菱状の導電部（本願の「膨出部」に相当）を直線状に連結して形成し、各電極層の帯状電極は互いに交差するように配置されると共に、各電極層の菱状の導電部は互いに平面視において重ならないように配置し、静電容量式タッチパネルの電極を形成することは、本願出願前において周知技術である。
　また、周知例１に「透明導電膜１２，２２のパターン形状は、・・・任意の形状とすることが可能である。」（【００２１】の記載。）と記載され、本願の明細書においても「上述した実施の形態において、膨出部６１ｂ，７１ｂが平面視略円形状に形成されている例を示した。しかしながら、これに限られず、一例として、膨出部６１ｂ，７１ｂが、平面視において、正方形や菱形等の四角形形状であってもよい。また、線状導電体６１，７１が、膨出部６１ｂ，７１ｂを有さず、直線状の輪郭を有するようにしてもよい。」（【０１２６】の記載。）と記載されるように、電極の形状は当業者が適宜決定し得る設計事項である。
　したがって、引用例１記載の発明に上記周知技術を適用して、本願補正発明の上記相違点に係る構成を得ることは、当業者が容易に想到し得たものというべきである。
　そして、本願補正発明の作用効果も、引用例１記載の発明及び上記周知技術から当業者が予測できる範囲のものである。
　したがって、本願補正発明は、引用例１記載の発明及び上記周知技術に基づいて、当業者が容易に発明をすることができたものであるから、特許法第２９条第２項の規定により特許出願の際独立して特許を受けることができないものである。
　
５．むすび
　以上のとおりであるから、本件補正は、特許法第１７条の２第６項において準用する同法第１２６条第７項の規定に違反する。
　したがって本件補正は、同法第１５９条第１項の規定において読み替えて準用する同法第５３条第１項の規定により却下すべきものである。
　
第３．本願発明について
１．本願発明
　平成２５年６月５日付の手続補正は上記のとおり却下されたので、本願の請求項１に係る発明（以下、「本願発明」という。）は、平成２４年８月８日付手続補正書の特許請求の範囲の請求項１に記載された事項により特定される、以下のとおりのものである。、
　「【請求項１】
　静電容量結合方式のタッチパネル機能を有し表示面への接触を検出可能な表示装置に用いられるカラーフィルタであって、
　基材と、
　開口部を画定する所定のパターンで形成された遮光部と、前記開口部内に形成された着色部と、を有するカラーフィルタ層と、
　前記カラーフィルタ層と前記基材との間に設けられ、または、前記基材の前記カラーフィルタ層とは反対の側に設けられ、前記表示装置に組み込まれた際に前記接触を検出するための回路に電気的に接続されるように構成された電極部と、を備え、
　前記カラーフィルタ層の前記遮光部は、導電性を有するとともに前記電極部から絶縁されるようにして設けられ、前記表示装置に組み込まれた際に接地されるように構成されており、
　前記カラーフィルタ層の前記基材に対面する側とは反対の側に配置された透明電極層を、さらに備え、
　前記透明電極層は、前記表示装置に組み込まれた際に各画素の表示を制御するための電極として機能するように構成され、
　前記カラーフィルタ層の前記遮光部は、前記透明電極層から絶縁されるようにして前記透明電極層と前記電極部との間に配置されており、
　前記電極部は、前記カラーフィルタ層と前記基材との間に配置された第１電極部と、前記第１電極部と前記カラーフィルタ層との間に配置された第２電極部と、を有し、
　前記第１電極部と前記第２電極部との間に、前記第１電極部と前記第２電極部とを絶縁する絶縁層が形成され、
　前記第１電極部は、一方向に並べて配置された複数の導電体であって、各々が前記一方向と交差する方向に延びている、複数の導電体を含み、
　前記第２電極部は、前記一方向とは異なる他方向に並べて配置された複数の導電体であって、各々が前記他方向と交差する方向に延びている、複数の導電体を含み、
　前記第１電極部及び前記第２電極部は、各々膨出部を有しており、
　前記第１電極部の膨出部と前記第２電極部の膨出部とは、前記基材側から観察した場合に重ならないように配置されている
ことを特徴とするカラーフィルタ。」
　
２．引用例等
　原査定の拒絶の理由に引用された、引用例１及び周知例１，２は、上記「第２．」の「２．引用例等」に記載したとおりである。
　
３．対比・判断
　本願発明は、前記「第２．」で検討した本願補正発明から、「膨出部」が「平面視略円形状である」とする限定を省くものである。
　そうすると、本願発明の構成要件をすべて含み、さらに他の構成要件を付加したものに相当する本願補正発明が、前記「第２．」「４．判断」に記載したとおり、引用例１記載の発明及び上記周知技術に基づいて、当業者が容易に発明をすることができたものであるから、本願発明も同様の理由により、引用例１記載の発明及び上記周知技術に基づいて、当業者が容易に発明をすることができたものである。
　
４．むすび
　以上のとおり、本願の請求項１に係る発明は、引用例１に記載された発明及び上記周知技術に基づいて、当業者が容易に発明をすることができたものであるから、特許法第２９条第２項の規定により特許を受けることができない。
　したがって、本願は、他の請求項について検討するまでもなく、拒絶されるべきものである。
　よって、結論のとおり審決する。